(57)【要約】【課題】ボタンの印字を見なくても、１ボタンでメニュー表示機能とメニュー機能動作機能などの複合機能を操作可能とし、適用範囲が広く、操作性ならびに利便性に優れたリモコン装置を提供する。【解決手段】複数のボタン３を有し、１つのボタン３の操作方向に２つの独立したスイッチを配置し、ボタン３の押下時に、スイッチに動作順序を設け、スイッチ動作を電気的に検知して検知情報ＪＴ，ＪＭを出力するスイッチ手段２と、スイッチ手段２とのインタフェースを取り、スイッチ手段２から供給される検知情報ＪＴ，ＪＭに基いて２つのスイッチ動作に対応したスイッチ信号Ｓｇを発生し、スイッチ信号Ｓｇを光信号Ｌｓに変換して外部に送信する信号処理手段４とを備える。【選択図】　図１
2004120394.tif 000002
【特許請求の範囲】
【請求項１】
複数のボタンを有し、離れた位置にある外部装置の動作を遠隔操作するリモコン装置であって、
１ボタンの操作方向に２つの独立したスイッチを配置し、ボタンの押下時に、スイッチに動作順序を設け、スイッチ動作を電気的に検知して検知情報を出力するスイッチ手段と、前記スイッチ手段とのインタフェースを取り、２つのスイッチ動作に対応したスイッチ信号を発生し、スイッチ信号を光信号に変換して外部に送信する信号処理手段と、を備えたことを特徴とするリモコン装置。
【請求項２】
前記スイッチ手段は、前記ボタンの押下時に、初めに動作するタッチスイッチ部と、続いて動作するメカニカル・スイッチ部と、を備えたことを特徴とする請求項１記載のリモコン装置。
【請求項３】
前記タッチスイッチ部は、前記ボタンの接触面と、前記ボタンとゲートが接続され、前記接触面に接触したときに検知情報を出力するＭＯＳＦＥＴと、を備えたことを特徴とする請求項２記載のリモコン装置。
【請求項４】
前記メカニカル・スイッチ部は、前記ボタンの背面に装着した可動接点と、前記ボタンの押下時に、前記可動接点が接触可能な位置に、印刷配線板上にプリントパターンで形成した間隔を有する２個の固定接点と、前記可動接点と前記２個の固定接点が接触した時に検知情報を出力する検知部と、を備えたことを特徴とする請求項２記載のリモコン装置。
【請求項５】
前記信号処理手段は、前記タッチスイッチ部および前記メカニカル・スイッチ部とのインタフェースを取るキーインタフェース手段と、前記キーインタフェース手段から供給されるキー信号に基づいてスイッチ対応のスイッチ信号を発生する信号発生手段と、前記信号発生手段から供給されるスイッチ信号を光信号に変換して送信する光信号変換・送信手段と、を備えたことを特徴とする請求項１または請求項２記載のリモコン装置。
【請求項６】
前記外部装置は、受光器、表示器を備えた車載用のナビゲーション装置であり、前記受光器に光信号を送信し、前記表示器に光信号に対応した表示をさせることを特徴とする請求項１記載のリモコン装置。
【発明の詳細な説明】
【０００１】
【発明の属する技術分野】
本発明は、外部装置の動作を離れた位置から遠隔操作するリモコン装置に係り、特に１ボタンの操作で２個のスイッチを動作させ、異なる機能を外部装置に動作させるリモコン装置に関する。
【０００２】
【従来の技術】
従来のリモコン装置において、操作するボタンの近傍に機能（例えば、テレビのチャネル、音量等）を文字や記号で印字し、ユーザが印字された文字や記号を目視して確認し、ボタンを操作してテレビ等の外部装置を離れた位置から操作するものが一般的に知られている。
【０００３】
また、従来のリモコン装置は、１メーク接点構成のメカニカル・スイッチが使用されており、ボタンを操作（押下）すると、印字された１つの機能に対応した光信号（赤外線）が外部装置に送信されように構成されている。
【０００４】
【発明が解決しようとする課題】
従来のリモコン装置は、家庭内等でリモコン装置の印字を目視しても何ら支障がない環境で使用する場合に適しているが、走行中の車両内でドライバがナビゲーション装置やオーディオ装置などの遠隔操作をする場合には、ボタン操作のために一旦印字に視点を集中しなければならず、運転から視線が外れる虞がある。
【０００５】
特に、車載用のナビゲーション装置の場合には、一旦車両を停止させてからリモコン装置を操作することが基本であるが、やむ得なく走行中にリモコン装置を操作しなければ道が判らないような場合があり、ドライバがボタン操作の度に印字を確認しなくても、前方向に視点を向けたままで操作ができるリモコン装置の要望が増加する状況にある。
【０００６】
この発明はこのような課題を解決するためになされたもので、その目的はボタンの印字を見なくても、１ボタンでメニュー表示機能とメニュー機能動作機能などの複合機能を操作可能とし、適用範囲が広く、操作性ならびに利便性に優れたリモコン装置を提供することにある。
【０００７】
【課題を解決するための手段】
前記課題を解決するためこの発明に係るリモコン装置は、複数のボタンを有し、離れた位置にある外部装置の動作を遠隔操作するものであって、１ボタンの操作方向に２つの独立したスイッチを配置し、ボタンの押下時に、スイッチに動作順序を設け、スイッチ動作を電気的に検知して検知情報を出力するスイッチ手段と、スイッチ手段とのインタフェースを取り、２つのスイッチ動作に対応したスイッチ信号を発生し、スイッチ信号を光信号に変換して外部に送信する信号処理手段とを備えたことを特徴とする。
【０００８】
この発明に係るリモコン装置は、複数のボタンを有し、１ボタンの操作方向に２つの独立したスイッチを配置し、ボタンの押下時に、スイッチに動作順序を設け、スイッチ動作を電気的に検知して検知情報を出力するスイッチ手段と、スイッチ手段とのインタフェースを取り、２つのスイッチ動作に対応したスイッチ信号を発生し、スイッチ信号を光信号に変換して外部に送信する信号処理手段とを備えたので、１ボタンを押下するだけで外部装置、例えば車載用のナビゲーション装置等の表示器にメニュー表示とメニュー機能動作などの複合機能を操作可能とし、ボタンの印字を見なくても所望のボタンを操作することができ、適用範囲が広く、操作性ならびに利便性の向上を図ることができる。
【０００９】
また、この発明に係るスイッチ手段は、ボタンの押下時に、初めに動作するタッチスイッチ部と、続いて動作するメカニカル・スイッチ部とを備えたことを特徴とする。
【００１０】
この発明に係るスイッチ手段は、ボタンの押下時に、初めに動作するタッチスイッチ部と、続いて動作するメカニカル・スイッチ部とを備えたので、ボタン押下の初めに動作するタッチスイッチ部により所望のメニューを選択することができ、続いて動作するメカニカル・スイッチ部によりメニューの機能動作を実行することができ、１ボタン操作で２つの機能を動作可能とし、操作性ならびに利便性の向上を図ることができる。
【００１１】
さらに、この発明に係るタッチスイッチ部は、ボタンの接触面と、ボタンとゲートが接続され、接触面に接触したときに検知情報を出力するＭＯＳＦＥＴとを備えたことを特徴とする。
【００１２】
この発明に係るタッチスイッチ部は、ボタンの接触面と、ボタンとゲートが接続され、接触面に接触したときに検知情報を出力するＭＯＳＦＥＴとを備えたので、ボタンに接触するとＭＯＳＦＥＴのゲート容量が減少し、ゲート−ソース間電圧が上昇してＭＯＳＦＥＴをオン状態にし、タッチスイッチの動作に対応した電気的な検知情報を出力することができる。
【００１３】
また、この発明に係るメカニカル・スイッチ部は、ボタンの背面に装着した可動接点と、ボタンの押下時に、可動接点が接触可能な位置に、印刷配線板上にプリントパターンで形成した間隔を有する２個の固定接点と、可動接点と２個の固定接点が接触した時に検知情報を出力する検知部とを備えたことを特徴とする。
【００１４】
この発明に係るメカニカル・スイッチ部は、ボタンの背面に装着した可動接点と、ボタンの押下時に、可動接点が接触可能な位置に、印刷配線板上にプリントパターンで形成した間隔を有する２個の固定接点と、可動接点と２個の固定接点が接触した時に検知情報を出力する検知部とを備えたので、可動接点が２個の固定接点に接触すると、検知部からメカニカル・スイッチの動作に対応した電気的な検知情報を出力することができる。
【００１５】
さらに、この発明に係る信号処理手段は、タッチスイッチ部およびメカニカル・スイッチ部とのインタフェースを取るキーインタフェース手段と、キーインタフェース手段から供給されるキー信号に基づいてスイッチ対応のスイッチ信号を発生する信号発生手段と、信号発生手段から供給されるスイッチ信号を光信号に変換して送信する光信号変換・送信手段とを備えたことを特徴とする。
【００１６】
この発明に係る信号処理手段は、タッチスイッチ部およびメカニカル・スイッチ部とのインタフェースを取るキーインタフェース手段と、キーインタフェース手段から供給されるキー信号に基づいてスイッチ対応のスイッチ信号を発生する信号発生手段と、信号発生手段から供給されるスイッチ信号を光信号に変換して送信する光信号変換・送信手段とを備えたので、タッチスイッチ部およびメカニカル・スイッチ部からの検知情報にチャタリング防止や先押し優先を施してキー情報とした後、このキー情報をコード化してスイッチ対応のスイッチ信号とし、スイッチ信号に変調を施して、例えば赤外線の光信号を発生させることができ、高精度の光信号を供給することができる。
【００１７】
また、この発明に係る外部装置は、受光器、表示器を備えた車載用のナビゲーション装置であり、受光器に光信号を送信し、表示器に光信号に対応した表示をさせることを特徴とする。
【００１８】
この発明に係る外部装置は、受光器、表示器を備えた車載用のナビゲーション装置であり、受光器に光信号を送信し、表示器に光信号に対応した表示をさせるので、ドライバは、リモコン装置のボタンに接触し、運転席の前方に設置したナビゲーション装置の表示器で所望するメニューを選択し、ボタンを押下することにより選択したメニューの機能を実行させることができ、リモコン装置のボタン印字を見ることなく、またボタン印字がなくても視点を先方に集中した状態でリモコン装置を操作することができ、操作性ならびに利便性の向上を実現することができる。
【００１９】
【発明の実施の形態】
以下、この発明の実施の形態を添付図面に基づいて説明する。図１はこの発明に係るリモコン装置の実施の形態基本ブロック構成図である。図１において、リモコン装置１は、複数のボタン３を有し、１つのボタン３の操作方向に２つの独立したスイッチを配置し、ボタン３の押下時に、スイッチに動作順序を設け、スイッチ動作を電気的に検知して検知情報ＪＴ，ＪＭを出力するスイッチ手段２と、スイッチ手段２とのインタフェースを取り、スイッチ手段２から供給される検知情報ＪＴ，ＪＭに基づいて２つのスイッチ動作に対応したスイッチ信号Ｓｇを発生し、スイッチ信号Ｓｇを光信号Ｌｓに変換して外部に送信する信号処理手段４とを備える。
【００２０】
スイッチ手段２は、ボタン３の押下に伴い、初めに動作するスイッチおよび続いて動作するスイッチを設け、それぞれスイッチの動作に応じて電気的な検知情報ＪＴ，ＪＭを発生させ、１ボタンの押下（操作）に対して２種の機能を発生させるように構成したものである。
【００２１】
このように、この発明に係るリモコン装置１は、複数のボタン３を有し、１ボタン３の操作方向に２つの独立したスイッチを配置し、ボタン３の押下時に、スイッチに動作順序を設け、スイッチ動作を電気的に検知して検知情報ＪＴ，ＪＭを出力するスイッチ手段２と、スイッチ手段２とのインタフェースを取り、２つのスイッチ動作に対応したスイッチ信号Ｓｇを発生し、スイッチ信号Ｓｇを光信号Ｌｓに変換して外部に送信する信号処理手段４とを備えたので、１ボタン３を押下するだけで外部装置、例えば車載用のナビゲーション装置等の表示器にメニュー表示とメニュー機能動作などの複合機能を操作可能とし、ボタン３の印字を見なくても所望のボタンを操作することができ、適用範囲が広く、操作性ならびに利便性の向上を図ることができる。
【００２２】
図２はこの発明に係るスイッチ手段の一実施の形態メカ構成図である。図２において、スイッチ手段２は、リモコン装置１の上ケース１ａ上に突出させた複数のボタン３と、ボタン３の背面に装着した可動接点３ｂと、可動接点３ｂから距離（ストローク）Ｄに配置した印刷配線板３ｆ上にプリントパターンで形成した固定接点３ｃおよび固定接点３ｄを備える。
【００２３】
ボタン３には、導電性の材料、例えば導電ゴムで構成し、接触面３ａと、接続線Ｌｇを備える。なお、ボタン３とＭＯＳＦＥＴのゲートを接続線Ｌｇを介して電気的に接続し、接触面３ａに接触することによるＭＯＳＦＥＴのゲート容量の変化に伴い、ＭＯＳＦＥＴをオン動作させることにより、タッチスイッチ部２ａを構成する。
【００２４】
可動接点３ｂは、導電性の材料、例えば導電ゴムで構成し、ボタン３を押下することにより、固定接点３ｃ，３ｄ側に移動し、ボタン３の移動距離（ストローク）Ｄで固定接点３ｃ，３ｄに接触するメカニカル・スイッチを構成する。なお、固定接点３ｃおよび固定接点３ｄは、所定間隔を有し、可動接点３ｂがストロークＤだけ押下された場合に、電気的に短絡（ショート）し、メカニカル・スイッチがオン動作する。
【００２５】
図３はこの発明に係るスイッチ手段の一実施の形態全体構成図である。図３において、スイッチ手段２は、図２に示すボタン３の接触面３ａ、接続線Ｌｇ、ＭＯＳＦＥＴ−Ｑ、抵抗器Ｒ１〜Ｒ３を備えたタッチスイッチ部２ａと、可動接点３ｂ、固定接点３ｃ、固定接点３ｄおよび検知部３ｅを構成する抵抗器Ｒ４を備えたメカニカル・スイッチ部２ｂとから構成する。
【００２６】
タッチスイッチ部２ａは、接触面３ａに接触しない状態では、ＭＯＳＦＥＴ−Ｑのゲート容量Ｃであり、ゲート−ソース間電圧ＶＧＳ１であって、ＭＯＳＦＥＴ−Ｑはオフ状態にあり、Ｈレベルの検知情報ＪＴを出力する。
【００２７】
一方、タッチスイッチ部２ａは、接触面３ａに指を接触すると、ＭＯＳＦＥＴ−Ｑのゲート容量Ｃが容量Ｃｏに低下（Ｃｏ＜Ｃ）し、ゲート−ソース間電圧ＶＧＳ１がＶｏに増加（Ｖｏ＞ＶＧＳ１）してＭＯＳＦＥＴ−Ｑがオン状態となり、Ｌレベルの検知情報ＪＴを出力し、タッチスイッチの動作を検知する。
【００２８】
メカニカル・スイッチ部２ｂは、可動接点３ｂが押下されて固定接点３ｃおよび固定接点３ｄに接触すると、固定接点３ｄが可動接点３ｂを介して接地（ＧＮＤ）された固定接点３ｃに短絡されるため、Ｈレベルの検知情報ＪＭがＬレベルで出力され、メカニカル・スイッチの動作を検知する。
【００２９】
図７はこの発明に係るスイッチ手段のストローク−検知情報の特性図である。図７において、ボタン３の押下（操作）時に、指がボタン３の接触面３ａに接触すると、初めにストロークＤがＤＴ（＝０）でタッチスイッチ部２ａが動作し、検知情報ＪＴがＨレベルからＬレベルに変化する。
【００３０】
続いて、ボタン３を押下していくと、ストロークＤ（＝ＤＭ）でメカニカル・スイッチ部２ｂが動作し、検知情報ＪＭがＨレベルからＬレベルに変化する。
【００３１】
さらに、ボタン３を押下すると、ストロークＤ（＝ＤＰ）でボタン３がストッパにより停止し、Ｌレベルの検知情報ＪＴ，ＪＭを出力した状態を継続する。
【００３２】
なお、検知情報ＪＴ，ＪＭをタッチスイッチ部２ａおよびメカニカル・スイッチ部２ｂが動作状態（オン状態）にＬベレルとしたが、Ｈレベルとなるように構成してもよい。
【００３３】
このように、この発明に係るスイッチ手段２は、ボタン３の押下時に、初めに動作するタッチスイッチ部２ａと、続いて動作するメカニカル・スイッチ部２ｂとを備えたので、ボタン押下の初めに動作するタッチスイッチ部２ａにより所望のメニューを選択することができ、続いて動作するメカニカル・スイッチ部２ｂによりメニューの機能動作を実行することができ、１ボタン操作で２つの機能を動作可能とし、操作性ならびに利便性の向上を図ることができる。
【００３４】
また、この発明に係るタッチスイッチ部２ａは、ボタン３の接触面３ａと、ボタン３とゲートが接続され、接触面３ａに接触したときに検知情報ＪＴを出力するＭＯＳＦＥＴ−Ｑとを備えたので、ボタン３に接触するとＭＯＳＦＥＴ−Ｑのゲート容量が減少し、ゲート−ソース間電圧が上昇してＭＯＳＦＥＴ−Ｑをオン状態にし、タッチスイッチの動作に対応した電気的な検知情報ＪＴを出力することができる。
【００３５】
さらに、この発明に係るメカニカル・スイッチ部２ｂは、ボタン３の背面に装着した可動接点３ｂと、ボタン３の押下時に、可動接点３ｂが接触可能な位置に、印刷配線板上３ｆにプリントパターンで形成した間隔を有する２個の固定接点３ｃ，３ｄと、可動接点３ｂと２個の固定接点３ｃ，３ｄが接触した時に検知情報ＪＭを出力する検知部３ｅとを備えたので、可動接点３ｂが２個の固定接点３ｃ，３ｄに接触すると、検知部３ｅからメカニカル・スイッチの動作に対応した電気的な検知情報ＪＭを出力することができる。
【００３６】
図４はこの発明に係る信号処理手段の一実施の形態要部ブロック構成図である。図４において、信号処理手段４は、専用のリモコンＩＣやマイクロプロセッサを基本に構成し、キーインタフェース手段５、信号発生手段６、光信号変換・送信手段７を備える。
【００３７】
キーインタフェース手段５は、接点のバウンド（チャタリング）を吸収して防止するチャタリング防止機能、ボタン３の同時押しを防止し、先に押したボタン３を優先させる先押し優先機能を備え、タッチスイッチ部２ａから供給される検知情報ＪＴおよびメカニカル・スイッチ部２ｂから供給される検知情報ＪＭにチャタリング防止および先押し優先を施し、キー信号Ｊｋを信号発生手段６に供給する。
【００３８】
信号発生手段６は、符号化変換機能、変調機能等を備え、キーインタフェース手段５から供給されるタッチスイッチ部２ａおよびメカニカル・スイッチ部２ｂに対応したキー信号Ｊｋに符号化（例えば、２進符号化）を施し、符号化を施した信号に変調を施したスイッチ信号Ｓｇを発生し、スイッチ信号Ｓｇを光信号変換・送信手段７に提供する。
【００３９】
光信号変換・送信手段７は、駆動手段、ＬＥＤ（発光素子）等で構成し、信号発生手段６から提供されるスイッチ信号Ｓｇに基いてＬＥＤ（発光素子）を駆動し、ＬＥＤ（発光素子）から光信号Ｌｓを発生する。
【００４０】
図５はこの発明に係る光信号変換・送信手段の一実施の形態要部ブロック構成図である。図５において、光信号変換・送信手段７は、駆動手段８および赤外線ＬＥＤ９を備える。
【００４１】
駆動手段８は、プログラマブル電流源等で構成し、信号発生手段６から提供されるスイッチ信号Ｓｇに基づいて駆動電流ＩＤに変換し、駆動電流ＩＤで赤外線ＬＥＤ９を駆動する。
【００４２】
赤外線ＬＥＤ９は、発光ダイオード（発光素子）で構成し、駆動手段８から供給される駆動電流ＩＤに対応した赤外線の光信号Ｌｓを発光し、光信号Ｌｓを外部装置（例えば、車載用のナビゲーション装置やオーディオ装置）に送信する。
【００４３】
このように、この発明に係る信号処理手段４は、タッチスイッチ部２ａおよびメカニカル・スイッチ部２ｂとのインタフェースを取るキーインタフェース手段５と、キーインタフェース手段５から供給されるキー信号Ｊｋに基づいてスイッチ対応のスイッチ信号Ｓｇを発生する信号発生手段６と、信号発生手段６から供給されるスイッチ信号Ｓｇを光信号Ｌｓに変換して送信する光信号変換・送信手段７とを備えたので、タッチスイッチ部２ａおよびメカニカル・スイッチ部２ｂからの検知情報ＪＴ，ＪＭにチャタリング防止や先押し優先を施してキー情報Ｊｋとした後、このキー情報Ｊｋをコード化してスイッチ対応のスイッチ信号Ｓｇとし、スイッチ信号Ｓｇに変調を施して、例えば赤外線の光信号Ｌｓを発生させることができ、高精度の光信号を供給することができる。
【００４４】
図６はこの発明に係るリモコン装置の一実施の形態ナビゲーション装置への適用図である。図６において、車載用のナビゲーション装置１０は、表示器１１、受光器１２を備え、表示器１１には、初期画面としてメニュー画面１１ａを表示する。
【００４５】
この状態からリモコン装置１のボタン３を操作し、ボタン３に指が接触すると、タッチスイッチ部２ａが動作して赤外線ＬＥＤ９からメニュー画面選択の光信号Ｌｓを送信すると、この光信号Ｌｓをナビゲーション装置１０の受光器１２が受信して対応するメニュー画面１１ａ（例えば、Ｔｅｌ：電話）をハイライト表示する。このメニュー（例えば、Ｔｅｌ：電話）でＯＫの場合には、ボタン３を押し込み、メカニカル・スイッチ部２ｂを動作することにより、表示器１１にメニュー（例えば、Ｔｅｌ：電話）の機能を実行させることができる。
【００４６】
このように、この発明に係る外部装置は、受光器１２、表示器１１を備えた車載用のナビゲーション装置１０であり、受光器１２に光信号Ｌｓを送信し、表示器１１に光信号Ｌｓに対応した表示をさせるので、ドライバは、リモコン装置１のボタン３に接触し、運転席の前方に設置したナビゲーション装置１０の表示器１１で所望するメニューを選択し、ボタン３を押下することにより選択したメニューの機能を実行させることができ、リモコン装置１のボタン印字を見ることなく、またボタン印字がなくても視点を先方に集中した状態でリモコン装置１を操作することができ、操作性ならびに利便性の向上を実現することができる。
【００４７】
【発明の効果】
以上説明したように、この発明に係るリモコン装置は、複数のボタンを有し、１ボタンの操作方向に２つの独立したスイッチを配置し、ボタンの押下時に、スイッチに動作順序を設け、スイッチ動作を電気的に検知して検知情報を出力するスイッチ手段と、スイッチ手段とのインタフェースを取り、２つのスイッチ動作に対応したスイッチ信号を発生し、スイッチ信号を光信号に変換して外部に送信する信号処理手段とを備えたので、１ボタンを押下するだけで外部装置、例えば車載用のナビゲーション装置等の表示器にメニュー表示とメニュー機能動作などの複合機能を操作可能とし、ボタンの印字を見なくても所望のボタンを操作することができ、適用範囲が広く、操作性ならびに利便性の向上を図ることができる。
【００４８】
また、この発明に係るスイッチ手段は、ボタンの押下時に、初めに動作するタッチスイッチ部と、続いて動作するメカニカル・スイッチ部とを備えたので、ボタン押下の初めに動作するタッチスイッチ部により所望のメニューを選択することができ、続いて動作するメカニカル・スイッチ部によりメニューの機能動作を実行することができ、１ボタン操作で２つの機能を動作可能とし、操作性ならびに利便性の向上を図ることができる。
【００４９】
さらに、この発明に係るタッチスイッチ部は、ボタンの接触面と、ボタンとゲートが接続され、接触面に接触したときに検知情報を出力するＭＯＳＦＥＴとを備えたので、ボタンに接触するとＭＯＳＦＥＴのゲート容量が減少し、ゲート−ソース間電圧が上昇してＭＯＳＦＥＴをオン状態にし、タッチスイッチの動作に対応した電気的な検知情報を出力することができる。
【００５０】
また、この発明に係るメカニカル・スイッチ部は、ボタンの背面に装着した可動接点と、ボタンの押下時に、可動接点が接触可能な位置に、印刷配線板上にプリントパターンで形成した間隔を有する２個の固定接点と、可動接点と２個の固定接点が接触した時に検知情報を出力する検知部とを備えたので、可動接点が２個の固定接点に接触すると、検知部からメカニカル・スイッチの動作に対応した電気的な検知情報を出力することができる。
【００５１】
さらに、この発明に係る信号処理手段は、タッチスイッチ部およびメカニカル・スイッチ部とのインタフェースを取るキーインタフェース手段と、キーインタフェース手段から供給されるキー信号に基づいてスイッチ対応のスイッチ信号を発生する信号発生手段と、信号発生手段から供給されるスイッチ信号を光信号に変換して送信する光信号変換・送信手段とを備えたので、タッチスイッチ部およびメカニカル・スイッチ部からの検知情報にチャタリング防止や先押し優先を施してキー情報とした後、、このキー情報をコード化してスイッチ対応のスイッチ信号とし、スイッチ信号に変調を施して、例えば赤外線の光信号を発生させることができ、高精度の光信号を供給することができる。
【００５２】
また、この発明に係る外部装置は、受光器、表示器を備えた車載用のナビゲーション装置であり、受光器に光信号を送信し、表示器に光信号に対応した表示をさせるので、ドライバは、リモコン装置のボタンに接触し、運転席の前方に設置したナビゲーション装置の表示器で所望するメニューを選択し、ボタンを押下することにより選択したメニューの機能を実行させることができ、リモコン装置のボタン印字を見ることなく、またボタン印字がなくても視点を先方に集中した状態でリモコン装置を操作することができ、操作性ならびに利便性の向上を実現することができる。
【図面の簡単な説明】
【図１】この発明に係るリモコン装置の実施の形態基本ブロック構成図
【図２】この発明に係るスイッチ手段の一実施の形態メカ構成図
【図３】この発明に係るスイッチ手段の一実施の形態全体構成図
【図４】この発明に係る信号処理手段の一実施の形態要部ブロック構成図
【図５】この発明に係る光信号変換・送信手段の一実施の形態要部ブロック構成図
【図６】この発明に係るリモコン装置の一実施の形態ナビゲーション装置への適用図
【図７】この発明に係るスイッチ手段のストローク−検知情報の特性図
【符号の説明】
１　　リモコン装置
１ａ　上ケース
２　　スイッチ手段
２ａ　タッチスイッチ部
２ｂ　メカニカル・スイッチ部
３　　ボタン
３ａ　接触面
３ｂ　可動接点
３ｃ，３ｄ　固定接点
３ｅ　検知部
３ｆ　印刷配線板
４　　信号処理手段
５　　キーインタフェース手段
６　　信号発生手段
７　　光信号変換・送信手段
８　　駆動手段
９　　赤外線ＬＥＤ
１０　ナビゲーション装置
１１　表示器
１１ａ　メニュー画面
１２　受光器
Ｑ　　ＭＯＳＦＥＴ
ＪＴ，ＪＭ　　検知情報
Ｊｋ　キー信号
Ｓｇ　スイッチ信号
Ｌｓ　光信号
Ｌｇ　接続線
Ｄ　　ストローク
【図１】
2004120394.tif 000003
【図２】
2004120394.tif 000004
【図３】
2004120394.tif 000005
【図４】
2004120394.tif 000006
【図５】
2004120394.tif 000007
【図６】
2004120394.tif 000008
【図７】
2004120394.tif 000009